(57)【要約】【課題】ハードディスク装置を内蔵した電子機器において、ハードディスク装置から温度情報を取得することで、機器内部の温度を直接検出する温度検出手段を不要とする。【解決手段】制御部１は、ＨＤＤ９がライトベリファイを実行したか否かを確認し、ライトベリファイを実行した場合には、次にサーミスタ９ａによる装置内部の温度情報をＨＤＤ９から取得し、その取得した温度情報が予め設定された第１の基準温度を超えた場合には、冷却ファン１０ａを駆動するとともに表示部７に注意メッセージを表示し、取得した温度情報が予め設定された第２の基準温度を超えた場合には、レコーダ自体の動作を強制的に停止させるとともに表示部７に警告メッセージを表示する。【選択図】図１
0003128149.tif 000002
【実用新案登録請求の範囲】
【請求項１】
装置の内部温度を検出するサーミスタを備え、情報記録時に前記サーミスタによる装置内部の検出温度が所定温度を超えている場合には、一旦記録した情報を再度読み出して記録内容の確認を行う自己診断機能を実行するハードディスク装置を内蔵した電子機器において、
機器本体の各種機能を制御する制御手段と、
機器本体の異常を報知する報知手段と、
前記機器本体の内部温度の上昇を防止するための冷却ファンとを備えており、
前記制御手段は、前記ハードディスク装置が前記自己診断機能を実行したか否かを確認し、前記自己診断機能を実行した場合には、次に前記サーミスタによる装置内部の温度情報を前記ハードディスク装置から取得し、その取得した温度情報が予め設定された第１の基準温度を超えた場合には、前記冷却ファンを駆動するとともに前記報知手段から機器本体の異常を促す注意メッセージを出力し、前記取得した温度情報が予め設定された前記第１の基準温度より所定温度高い第２の基準温度を超えた場合には、機器本体の動作を強制的に停止させるとともに前記報知手段から機器本体の異常を警告する警告メッセージを出力することを特徴とするハードディスク装置内蔵型電子機器。
【請求項２】
装置の内部温度を検出する温度検出手段を備えたハードディスク装置を内蔵した電子機器において、
機器本体の各種機能を制御する制御手段と、
機器本体の異常を報知する報知手段とを備えており、
前記制御手段は、前記温度検出手段による装置内部の温度情報を前記ハードディスク装置から取得し、その取得した温度情報が予め設定された基準温度を超えた場合には、前記報知手段から機器本体の異常を報知することを特徴とするハードディスク装置内蔵型電子機器。
【請求項３】
前記基準温度として、第１の基準温度と、この第１の基準温度より所定温度高い第２の基準温度とが設定されており、
前記制御手段は、前記ハードディスク装置から取得した温度情報が前記第１の基準温度を超えた場合には、前記報知手段から機器本体の異常を促す注意メッセージを出力し、前記ハードディスク装置から取得した温度情報が前記第２の基準温度を超えた場合には、前記報知手段から機器本体の異常を警告する警告メッセージを出力することを特徴とする請求項２に記載のハードディスク装置内蔵型電子機器。
【請求項４】
前記機器本体の内部温度の上昇を防止するための冷却ファンを備えており、
前記制御手段は、前記ハードディスク装置から取得した温度情報が前記第１の基準温度を超えた場合には、前記冷却ファンを駆動することを特徴とする請求項３に記載のハードディスク装置内蔵型電子機器。
【請求項５】
前記制御手段は、前記ハードディスク装置から取得した温度情報が前記第２の基準温度を超えた場合には、機器本体の動作を強制的に停止させることを特徴とする請求項４に記載のハードディスク装置内蔵型電子機器。
【請求項６】
前記制御手段は、機器本体の動作を強制的に停止させる場合に、前記冷却ファンの駆動は継続することを特徴とする請求項５に記載のハードディスク装置内蔵型電子機器。
【請求項７】
装置の内部温度を検出する温度検出手段を備え、情報記録時に前記温度検出手段による装置内部の検出温度が所定温度を超えている場合には、一旦記録した情報を再度読み出して記録内容の確認を行う自己診断機能を実行するハードディスク装置を内蔵した電子機器において、
機器本体の各種機能を制御する制御手段と、
機器本体の異常を報知する報知手段とを備えており、
前記制御手段は、前記ハードディスク装置が前記自己診断機能を実行したか否かを確認し、前記自己診断機能を実行した場合には、次に前記温度検出手段による装置内部の温度情報を前記ハードディスク装置から取得し、その取得した温度情報が予め設定された基準温度を超えた場合には、前記報知手段から機器本体の異常を報知することを特徴とするハードディスク装置内蔵型電子機器。
【請求項８】
前記基準温度として、第１の基準温度と、この第１の基準温度より所定温度高い第２の基準温度とが設定されており、
前記制御手段は、前記ハードディスク装置から取得した温度情報が前記第１の基準温度を超えた場合には、前記報知手段から機器本体の異常を促す注意メッセージを出力し、前記ハードディスク装置から取得した温度情報が前記第２の基準温度を超えた場合には、前記報知手段から機器本体の異常を警告する警告メッセージを出力することを特徴とする請求項７に記載のハードディスク装置内蔵型電子機器。
【請求項９】
前記機器本体の内部温度の上昇を防止するための冷却ファンを備えており、
前記制御手段は、前記ハードディスク装置から取得した温度情報が前記第１の基準温度を超えた場合には、前記冷却ファンを駆動することを特徴とする請求項８に記載のハードディスク装置内蔵型電子機器。
【請求項１０】
前記制御手段は、前記ハードディスク装置から取得した温度情報が前記第２の基準温度を超えた場合には、機器本体の動作を強制的に停止させることを特徴とする請求項９に記載のハードディスク装置内蔵型電子機器。
【請求項１１】
前記制御手段は、機器本体の動作を強制的に停止させる場合に、前記冷却ファンの駆動は継続することを特徴とする請求項１０に記載のハードディスク装置内蔵型電子機器。
【考案の詳細な説明】
【技術分野】
【０００１】
本考案は、装置の内部温度を検出するサーミスタを備え、情報記録時に前記サーミスタによる装置内部の検出温度が所定温度を超えている場合には、一旦記録した情報を再度読み出して記録内容の確認を行う自己診断機能を実行するハードディスク装置を内蔵した、例えばハードディスク装置内蔵型ＤＶＤレコーダやハードディスク装置内蔵型液晶テレビ等の電子機器に関する。
【背景技術】
【０００２】
ＤＶＤレコーダや液晶テレビ等の各種電子機器では、従来から機器内部に温度センサを配置して機器内部の温度を監視し、機器内部の温度が異常に上昇したとき、例えば冷却ファンを駆動したり、エラーメッセージを表示して異常をユーザに報知することで、機器の故障を未然に防止する工夫がされている（例えば、特許文献１〜５等参照）。
【０００３】
特許文献１記載の記録装置は、ハードディスクドライブ（ＨＤＤ）付きのＤＶＤビデオレコーダであって、サーミスタ等からなる温度検出部で装置内温度を直接検出し、装置内温度が上がり過ぎた場合に、冷却用ファンの制御により装置内温度を下げる構成となっている。
【０００４】
また、特許文献２記載の光学的情報記録再生装置は、サーミスタで装置内温度を直接計測し、その計測温度が所定値以上になった場合に、その旨を外部に警告する構成となっている。
【０００５】
また、特許文献３記載の温度検出機能を備える情報処理システムは、高温時のファイルメモリ装置へのアクセスによるファイルメモリ内容の破壊を防ぐために、装置内部の温度を直接検出する温度検出手段を備え、この温度検出手段で検出された温度が予め定めた温度であるか否かを検知し、予め定めた温度以上であることを検知しているときに、記憶内容の保護動作を実行する構成となっている。
【０００６】
また、特許文献４記載のディスク装置は、ディスク装置内の温度を直接検出する温度検出手段を備え、この温度検出手段により検出された温度がディスク装置の動作を保証する温度範囲内にあるか否かを判定し、動作保証温度範囲外と判定された場合には、ライトキャッシュ機能を無効にするとともに自動交替機能を無効にして、ライトコマンドを受領したときディスクへのライト後にベリファイを実施し、正常にライトできたか否かを確認する構成となっている。
【特許文献１】特開２００２−３２４３９１号公報
【特許文献２】特開平３−２６８２９１号公報
【特許文献３】特開平６−６７９１０号公報
【特許文献４】特開２００３−２９７０２５号公報
【考案の開示】
【考案が解決しようとする課題】
【０００７】
上記各特許文献１〜５によれば、温度監視の対象となる装置内部に温度検出手段を設けることで、装置内部の温度を直接検出し、その検出温度に基づいて冷却ファンの制御や、メッセージの表示、ディスクへの書き込み制御等を行うようになっている。しかし、上記特許文献１〜５記載のものは、いずれも装置内部温度を直接検出するための温度検出手段を設ける必要があった。
【０００８】
ところで、最近では、記録媒体としてハードディスクドライブ（ＨＤＤ）を搭載した電子機器が普及し始めている。ハードディスクドライブによる記録は、記録容量も大きく、アクセス速度も非常に高速であることから、今後、ハードディスクドライブを搭載した電子機器がさらに普及すると考えられる。
【０００９】
ハードディスクドライブは、コンピュータの補助記憶装置としても搭載されているように、情報の記録と再生とにおいて高い信頼性が要求される。そのため、ハードディスクドライブは、通常、金属製の筐体で密閉されており、内部的にも動作制御に関する種々の工夫がされている。例えば、装置の内部温度を検出するサーミスタを内蔵しており、情報記録時に、サーミスタによる装置内部の検出温度が所定の下限温度以下であった場合、及び所定の上限温度以上であった場合には、一旦記録した情報を再度読み出して記録内容の確認を行う自己診断機能（以下「ライトベリファイ」ともいう。）を実行する機能を備えている。ここで、所定の下限温度とは例えば２０℃であり、これより低い温度で情報の記録を行うと、情報が正しく記録されない可能性があるからである。一方、所定の上限温度とは例えば６０℃であり、これより高い温度で情報の記録を行うと、情報が正しく記録されない可能性があるからである。
【００１０】
このように、ハードディスクドライブは、筐体内部に内部温度を検出する温度検出手段としてのサーミスタを備えており、かつ、サーミスタにより検出した温度情報を保存するようになっている。また、このような温度情報は外部に出力可能な構造となっている。
【００１１】
本考案はかかる点に着目して創案されたもので、その目的は、ハードディスク装置を内蔵した電子機器において、ハードディスク装置から温度情報を取得することで、機器内部の温度を直接検出する温度検出手段を不要としたハードディスク装置内蔵型電子機器を提供することにある。
【課題を解決するための手段】
【００１２】
上記目的を達成するため、本考案のハードディスク装置内蔵型電子機器は、装置の内部温度を検出する温度検出手段を備えたハードディスク装置を内蔵した電子機器において、機器本体の各種機能を制御する制御手段と、機器本体の異常を報知する報知手段とを備えており、前記制御手段は、前記温度検出手段による装置内部の温度情報を前記ハードディスク装置から取得し、その取得した温度情報が予め設定された基準温度を超えた場合には、前記報知手段から機器本体の異常を報知することを特徴としている。
【００１３】
また、本考案のハードディスク装置内蔵型電子機器は、装置の内部温度を検出する温度検出手段を備え、情報記録時に前記温度検出手段による装置内部の検出温度が所定温度を超えている場合には、一旦記録した情報を再度読み出して記録内容の確認を行う自己診断機能を実行するハードディスク装置を内蔵した電子機器において、機器本体の各種機能を制御する制御手段と、機器本体の異常を報知する報知手段とを備えており、前記制御手段は、前記ハードディスク装置が前記自己診断機能を実行したか否かを確認し、前記自己診断機能を実行した場合には、次に前記温度検出手段による装置内部の温度情報を前記ハードディスク装置から取得し、その取得した温度情報が予め設定された基準温度を超えた場合には、前記報知手段から機器本体の異常を報知することを特徴としている。
【００１４】
このような特徴を有する本考案によれば、機器本体内の温度を取得する手段として、ハードディスク装置から得られる装置内部の温度情報を利用することで、機器本体内の温度を検出する専用の温度検出手段を省略することが可能となる。
【００１５】
電子機器から見れば、ハードディスク装置は、機器内部の電子部品の一部であり、その電子部品の一部であるハードディスク装置の内部温度と、これを内蔵した機器本体の内部温度とは、互いに影響し合う関係にあることは容易に推察される。すなわち、ハードディスク装置の内部温度が上昇すると、その影響を受けて機器本体内の温度も上昇し、逆に、機器本体内の他の部品の温度上昇等により機器本体の内部温度が上昇すると、その影響を受けてハードディスク装置の内部温度も上昇することになる。従って、このようなハードディスク装置の内部温度とこれを内蔵した機器本体の内部温度との間に関連性があることを踏まえることで、機器本体内に専用の温度検出手段が無くても、ハードディスク装置から得られる装置内部の温度情報に基づいて、機器本体の内部温度をある程度推察することができ、これにより装置本体内の温度上昇による注意や警告を報知することが可能となる。
【００１６】
すなわち、本考案では、ハードディスク装置から取得した温度情報が予め設定された基準温度を超えた場合には、報知手段から機器本体の異常を報知する構成としている。
【００１７】
一方、ハードディスク装置では、上記したように情報記録時の装置内部の温度が所定の上限温度以上であった場合には、記録後に自己診断機能（ライトベリファイ）を実行する。そこで、電子機器の制御手段は、ハードディスク装置からの温度情報だけでなく、ハードディスク装置による自己診断機能の実行の有無も併せて確認することで、機器本体内の温度状態をより正確に推察することができ、これにより機器本体内の温度上昇による注意や警告をより正確に報知することが可能となる。
【００１８】
すなわち、本考案では、電子機器の制御手段は、ハードディスク装置が自己診断機能を実行したか否かを確認し、自己診断機能を実行した場合には、次にハードディスク装置から取得した温度情報が予め設定された基準温度を超えたか否かを判断し、超えた場合には、報知手段から機器本体の異常を報知する構成としている。
【００１９】
ここで、本考案によれば、前記基準温度として、第１の基準温度（例えば、６０℃）と、この第１の基準温度より所定温度高い第２の基準温度（例えば、７０℃）とを設定し、前記制御手段は、ハードディスク装置から取得した温度情報が第１の基準温度（６０℃等）を超えた場合には、報知手段から機器本体の異常を促す注意メッセージを出力（音声出力や表示等）し、ハードディスク装置から取得した温度情報が第２の基準温度（７０℃等）を超えた場合には、報知手段から機器本体の異常を警告する警告メッセージを出力（音声出力や表示等）するように構成してもよい。
【００２０】
このように、機器本体の異常を２段階で報知することで、ユーザは注意メッセージが出力された初期の段階で、電子機器の電源をオフする等の対応策を講じることができる。
【００２１】
また、本考案によれば、機器本体の内部温度の上昇を防止するための冷却ファンを備えており、前記制御手段は、ハードディスク装置から取得した温度情報が第１の基準温度（６０℃等）を超えた場合には、冷却ファンを駆動するように構成してもよい。このように、温度上昇の初期の段階で機器本体内の冷却を開始することで、機器本体内の温度上昇を防止することが可能となる。
【００２２】
また、本考案によれば、前記制御手段は、ハードディスク装置から取得した温度情報が第２の基準温度（７０℃等）を超えた場合には、機器本体の動作を強制的に停止（すなわち、電源オフ等）させるように構成してもよい。強制停止することで、それ以上の温度上昇を防止し、機器本体内の各部品の温度破壊を防止することができる。
【００２３】
ところで、ハードディスク装置から取得した温度情報が第１の基準温度（６０℃等）を超えた段階で冷却ファンを駆動しているにも係わらず、その後にハードディスク装置から取得した温度情報が第２の基準温度（７０℃等）を超えるということは、冷却ファンが実際には駆動していない可能性（例えば、寿命やメンテナンス不良によりロック状態となっている場合等）もある。一般に、冷却ファンのこのような事態を事前に察知するために、冷却ファンの駆動を直接検知する検知回路を備えた冷却ファンも提供されているが、本考案では、冷却ファン駆動後に温度が第２の基準温度までさらに上昇した場合には、その時点で冷却ファンの駆動不良と予測して、機器本体の動作を強制的に停止することができるので、このような検知回路付きの冷却ファンを使用する必要がない。従って、その分安価な冷却ファンを使用することが可能となり、部品コスト、ひいては製造コストを低減することが可能となる。
【００２４】
一方、このような温度上昇は、冷却ファンの駆動不良ではなく、その他の原因である可能性もある。そこで、本考案では、前記制御手段は、機器本体の動作を強制的に停止させた場合でも、冷却ファンの駆動を継続するように構成してもよい。冷却ファンの駆動を継続することで、動作の強制停止後も余熱等によって自然に上昇する機器本体内の温度を抑えることができるとともに、機器本体内の温度を積極的に低下させることが可能となる。
【考案の効果】
【００２５】
本考案のハードディスク装置内蔵型電子機器によれば、機器本体内の温度を取得する手段として、ハードディスク装置から得られる装置内部の温度情報を利用することで、機器本体内の温度状態を予測する構成としたので、機器本体内の温度を検出する専用の温度検出手段を省略することができ、その分、部品点数の削減や製造コストの低減を図ることができる。
【００２６】
また、ハードディスク装置から得られる装置内部の温度情報を利用することで、機器本体内の温度異常を報知することができる。この場合、機器本体の異常を注意メッセージと警告メッセージの２段階で報知する構成とすることで、ユーザは注意メッセージが出力された初期の段階で、電子機器の電源をオフする等の対応策を講じることができる。
【００２７】
また、ハードディスク装置から取得した温度情報が第１の基準温度（６０℃等）を超えた場合には、冷却ファンを駆動するように構成してもよい。このように、温度上昇の初期の段階で機器本体内の冷却を開始することで、機器本体内の温度上昇を防止することが可能となる。
【００２８】
また、ハードディスク装置から取得した温度情報が第２の基準温度を超えた場合には、機器本体の動作を強制的に停止させる構成とすることで、それ以上の温度上昇を防止し、機器本体内の各部品の温度破壊を防止することができる。さらに、機器本体の動作を強制的に停止させた場合でも、冷却ファンの駆動を継続するように構成することで、動作の強制停止後も余熱等によって自然に上昇する機器本体内の温度を抑えることができるとともに、機器本体内の温度を積極的に低下させることができる。
【考案を実施するための最良の形態】
【００２９】
以下、本考案の実施の形態について、図面を参照して説明する。
【００３０】
図１は、本考案のハードディスク装置内蔵型電子機器の一実施形態であるハードディスクドライブ（ＨＤＤ）内蔵型ＤＶＤレコーダの電気的構成を示すブロック図である。
【００３１】
本実施形態１のＨＤＤ内蔵型ＤＶＤレコーダは、制御部１、テレビ番組等の放送信号（番組情報）を受信するアンテナ２に接続されたチューナ３、信号処理部４、記録媒体であるＤＶＤ（ＤｉｇｉｔａｌＶｅｒｓａｔｉｌｅ Ｄｉｓｋ）２０の着脱が可能なディスク読書部５、リモコン１５からのコントロール信号を受信するリモコン受信部６、表示部７、操作部８、内蔵のハードディスクドライブ（ＨＤＤ）９、レコーダ本体内に設けられた冷却ファン１０ａを駆動制御するファン駆動部１０からなり、信号処理部４の出力がテレビジョン受像機（以下、テレビという）３０に接続されている。
【００３２】
制御部１は、ＣＰＵ１ａ、メモリ部１ｂ、及び再生や録画等の時間をカウントするカウンタ１ｃ等から構成されている。メモリ部１ｂは、本コレーダの各種動作プログラムが格納されたＲＯＭ、動作時には種々のデータの一時保存やワークエリアとして働くＲＡＭ等からなる。チューナ３は、アンテナ２で受信した放送信号から映像を含んだアナログの信号を抽出する。信号処理部４は、アナログやデジタルの信号処理用の回路から構成されている。この信号処理部４は、チューナ３から入力されるアナログの信号をテレビ３０に出力したり、デジタル化した後にＭＰＥＧ２（ＭｏｖｉｎｇＰｉｃｔｕｒｅ Ｅｘｐｅｒｔｓ ＧｒｏｕｐＰｈａｓｅ２）形式等の圧縮されたデータに処理してディスク読書部５や制御部１に出力する。
【００３３】
ディスク読書部５は、ピックアップやピックアップ駆動回路やディスク駆動回路等から構成されている。このディスク読書部５は、信号処理部４から出力されるデータをＤＶＤ２０に記録したり、ＤＶＤ２０に記録されているデータを読み込んで信号処理部４に出力したりする。信号処理部４は、ディスク読書部５から出力されるＤＶＤ２０のデータを再生し、アナログの信号に処理した後テレビ３０に出力する。また、信号処理部４は、ＯＳＤ回路を備えており、制御部１からの制御により、テレビ３０のモニタにメニュー画面等の表示を行うようになっている。テレビ３０は信号処理部４から出力されるアナログの信号に基づいてＣＲＴ等のモニタに映像を映し出し、スピーカから音声を出力する。
【００３４】
表示部７は、本レコーダの動作状態等を表示するものであり、ＦＬＤ（蛍光表示管）やＬＥＤランプ等を備えている。操作部８は、本レコーダ本体の前面等に設けられたボタンやスイッチ等を備えた操作パネル部である。
【００３５】
ＨＤＤ９は、金属製の筐体で密閉されており、装置の内部温度を検出するサーミスタ９ａを内蔵している。そして、情報記録時に、サーミスタ９ａによる装置内部の検出温度が所定の下限温度以下であった場合、及び所定の上限温度以上であった場合には、一旦記録した情報を再度読み出して記録内容の確認を行う自己診断機能（ライトベリファイ）を実行する機能を備えている。ここで、所定の下限温度とは例えば０℃であり、これより低い温度で情報の記録を行うと、情報が正しく記録されない可能性があるからである。一方、所定の上限温度とは例えば６０℃であり、これより高い温度で情報の記録を行うと、情報が正しく記録されない可能性があるからである。また、ファン駆動部１０は、制御部１からの制御により冷却ファン１０ａの駆動、停止を制御する。
【００３６】
リモコン１５と操作部８には、再生、録画、早送り、巻戻し、及び停止といった本レコーダの動作を指示するために操作するキーが設けられている。また、録画予約（タイマー録画）を設定するための録画キー等も設けられている。
【００３７】
図２は、リモコン１５のキー配置の構造の一例を示す説明図である。すなわち、リモコン１５には、電源キー１１１、テンキー１１２、メニューキー１１３、録画キー１１４、上下左右キー１１５、決定キー１１６、及びその他の各種機能キー１１７が設けられている。
【００３８】
制御部１は、例えばリモコン１５の電源キー１１１がオンされ、記録先として例えば内蔵のＨＤＤ９が選択されて、録画キー１１４が操作されると、外部からアンテナ２とチューナ３を通じて入力され、信号処理部４で圧縮処理された番組情報のデータを、ＨＤＤ９が内蔵のハードディスク（図示省略）に記録する。このとき、同時再生（すなわち、テレビ３０での視聴）が選択されている場合には、記録と同時に再生し、再生したデータを信号処理部４によって処理した後、テレビ３０に出力する。これにより、録画中のテレビ番組がテレビ３０のモニタに映像として映し出され、スピーカから音声として出力される。
【００３９】
また、制御部１は、リモコン１５の録画キー１１４が操作されたり、予め設定された録画予約の録画開始時刻になると、チューナ３によって受信され、信号処理部４で圧縮処理された番組情報のデータを、ＨＤＤ９のハードディスクに記録して保存する。
【００４０】
また、制御部１は、ＨＤＤ９からＤＶＤ２０へのダビング機能を備えており、ダビングモードの設定に際しては、すぐにダビングを実行する「即実行ダビングモード」、ユーザがダビング実行時間を指定することでダビング予約を行う「時間指定ダビングモード」、本レコーダ側でダビング時間を設定する「オートダビングモード」のいずれかのダビングモードが選択可能となっている。この選択は、リモコン１５のキー操作によって行われるが、このダビング処理は本考案の要部ではないので、ここでは説明を省略する。
【００４１】
また、制御部１は、ＨＤＤ９から取得したサーミスタ９ａによる装置内部の温度情報と、予め設定された基準温度とを比較する。そして、その比較の結果、取得した温度情報が基準温度を超えた場合には、表示部７にレコーダ本体内の異常を報知するようになっている。ここで、本実施形態では、基準温度として、第１の基準温度（６０℃）と、この第１の基準温度より所定温度高い第２の基準温度（７０℃）とが設定されており、これらの基準温度は、メモリ部１ｂ内のＲＯＭに予め格納されている。
【００４２】
すなわち、本考案は、レコーダ本体内の温度を取得する手段として、ＨＤＤ９のサーミスタ９ａで検出したＨＤＤ９内部の温度情報を利用することで、レコーダ本体内の温度状態を予測し、これによってレコーダ本体内の温度を検出する専用の温度検出手段を省略可能とした点に特徴を有するものである。
【００４３】
以下、ＨＤＤ９から取得した温度情報やライトベリファイの有無情報等に基づいてＤＶＤレコーダ本体内の温度監視を行う各種実施例について具体的に説明する。
【実施例１】
【００４４】
本実施例１は、ＨＤＤ９から取得した温度情報に基づいてＤＶＤレコーダ本体内の温度監視を行う最も基本的な実施例である。以下、図３に示すフローチャートを参照して説明する。
【００４５】
本レコーダによって情報の記録動作やダビング動作等、各種の動作を開始すると、制御部１は、ＨＤＤ９から定期的に（若しくは随時）温度情報を取得する（ステップＳ１）。そして、取得した温度情報と内部に予め設定されている基準温度とを比較する（ステップＳ２）。ここで、本実施例１での基準温度は７０℃に設定されている。すなわち、ＨＤＤ９は６０℃以上になるとライトベリファイを実行するため、このライトベリファイ実行温度よりも１０℃（請求項に記載の所定温度）高い７０℃を比較基準温度としている。
【００４６】
その結果、取得温度が７０℃を超えていなければ（ステップＳ２でＮｏと判断されれば）、レコーダ本体内の温度がまだ上限までは達していないと判断し、この時点ではそのまま通常動作を継続する（ステップＳ３）。
【００４７】
一方、取得温度が７０℃を超えた場合（ステップＳ２でＹｅｓと判断された場合）には、レコーダ本体内の温度も上限温度に近づいたと判断し、制御部１は、表示部７にエラーメッセージを表示する（ステップＳ４）。ここで、エラーメッセージとしては、「レコーダ本体内の温度が異常に上がっています。」、「電源を一度落として下さい。」、「サービスセンターへご連絡下さい。」等の各種のメッセージの表示が可能である。ただし、エラーメッセージの報知方法としては、このような文字によるメッセージの表示以外にも、例えば電子ブザーによる警告音やＬＥＤの点灯または点滅による警告表示、あるいは音声合成による音声警告などであってもよい。
【００４８】
このように、ＨＤＤ９から取得した温度情報に基づいてレコーダ本体内の温度を予測することで、レコーダ本体内の温度を検出する専用の温度検出手段を設けなくても、レコーダ本体内の温度監視を行うことが可能となる。
【実施例２】
【００４９】
本実施例２は、エラーメッセージを２段階表示とした実施例である。以下、図４に示すフローチャートを参照して説明する。
【００５０】
本レコーダによって情報の記録動作やダビング動作等、各種の動作を開始すると、制御部１は、ＨＤＤ９から定期的に（若しくは随時）温度情報を取得する（ステップＳ１１）。そして、取得した温度情報と内部に予め設定されている第１の基準温度とを比較する（ステップＳ１２）。ここで、本実施例２では第１の基準温度として６０℃が設定されている。これは、ＨＤＤ９が６０℃以上になるとライトベリファイを実行するため、このライトベリファイ実行温度に設定したものである。
【００５１】
その結果、取得温度が６０℃を超えていなければ（ステップＳ１２でＮｏと判断されれば）、レコーダ本体内の温度がまだ上限までは達していないと判断し、この時点ではそのまま通常動作を継続する（ステップＳ１３）。
【００５２】
一方、取得温度が６０℃を超えた場合（ステップＳ１２でＹｅｓと判断された場合）には、レコーダ本体内の温度も上限温度に近づき始めていると判断し、制御部１は、表示部７に注意メッセージを表示する（ステップＳ１４）。ここで、注意メッセージとしては、「レコーダ本体内の温度が上昇し始めています、注意してください。」等のメッセージの表示が可能である。ただし、注意メッセージの報知方法としては、このような文字によるメッセージの表示以外にも、例えば電子ブザーによる警告音やＬＥＤの点灯または点滅による注意表示、あるいは音声合成による音声注意などであってもよい。
【００５３】
次に、制御部１は、取得温度と第２の基準温度とを比較する（ステップＳ１５）。ここで、本実施例２では第２の基準温度として７０℃が設定されている。すなわち、ライトベリファイ実行温度よりも１０℃（請求項に記載の所定温度）高い温度に設定している。
【００５４】
その結果、取得温度が７０℃を超えていなければ（ステップＳ１５でＮｏと判断されれば）、レコーダ本体内の温度がまだ上限までは達していないと判断し、この時点ではそのまま通常動作を継続する（ステップＳ１３）。
【００５５】
一方、取得温度が７０℃を超えた場合（ステップＳ１５でＹｅｓと判断された場合）には、レコーダ本体内の温度も上限温度に近づいたと判断し、制御部１は、表示部７に警告メッセージを表示する（ステップＳ１６）。ここで、警告メッセージとしては、「レコーダ本体内の温度が異常に上がっています。」、「電源を一度落として下さい。」、「サービスセンターへご連絡下さい。」等の各種のメッセージの表示が可能である。ただし、警告メッセージの報知方法としては、このような文字によるメッセージの表示以外にも、例えば電子ブザーによる警告音やＬＥＤの点灯または点滅による警告表示、あるいは音声合成による音声警告などであってもよい。
【００５６】
このように、ＨＤＤ９から取得した温度情報と、ＨＤＤ９のライトベリファイの実行温度とを考慮してレコーダ本体内の温度を予測することで、レコーダ本体内の温度を検出する専用の温度検出手段を設けなくても、レコーダ本体内の温度監視を行うことが可能となる。
【実施例３】
【００５７】
本実施例３は、上記実施例２に冷却ファン１０ａの駆動制御を加えた実施例である。以下、図５に示すフローチャートを参照して説明する。
【００５８】
本レコーダによって情報の記録動作やダビング動作等、各種の動作を開始すると、制御部１は、ＨＤＤ９から定期的に（若しくは随時）温度情報を取得する（ステップＳ２１）。そして、取得した温度情報と内部に予め設定されている第１の基準温度である６０℃とを比較する（ステップＳ２２）。その結果、取得温度が６０℃を超えていなければ（ステップＳ２２でＮｏと判断されれば）、レコーダ本体内の温度がまだ上限までは達していないと判断し、この時点ではそのまま通常動作を継続する（ステップＳ２３）。
【００５９】
一方、取得温度が６０℃を超えた場合（ステップＳ２２でＹｅｓと判断された場合）には、レコーダ本体内の温度も上限温度に近づき始めていると判断し、制御部１は、表示部７に注意メッセージを表示するとともに（ステップＳ２４）、ファン駆動部１０を制御して冷却ファン１０ａを駆動する（ステップＳ２５）。
【００６０】
次に、制御部１は、取得温度と第２の基準温度である７０℃とを比較する（ステップＳ２６）。その結果、取得温度が７０℃を超えていなければ（ステップＳ２６でＮｏと判断されれば）、レコーダ本体内の温度がまだ上限までは達していないと判断し、この時点ではそのまま通常動作を継続する（ステップＳ２３）。
【００６１】
一方、取得温度が７０℃を超えた場合（ステップＳ２６でＹｅｓと判断された場合）には、レコーダ本体内の温度も上限温度に近づいたと判断し、制御部１は、表示部７に警告メッセージを表示する（ステップＳ２７）。また、制御部１は、本レコーダ自体の動作を停止する（ステップＳ２８）。このとき、冷却ファン１０ａについては駆動を継続してもよい。これにより、レコーダ本体内の温度を強制的に下げることが可能となる。
【００６２】
このように、ＨＤＤ９から取得した温度情報と、ＨＤＤ９のライトベリファイの実行温度とを考慮してレコーダ本体内の温度を予測することで、レコーダ本体内の温度を検出する専用の温度検出手段を設けなくても、レコーダ本体内の温度監視を行うことが可能となる。また、冷却ファン１０ａ駆動後の温度上昇を判断することで、冷却ファン１０ａ自体が寿命やメンテナンス不良等によるロック状態で実際には駆動していない可能性があることが推察されるので、冷却ファンの故障等もいち早く見つけることができる。
【実施例４】
【００６３】
本実施例４は、上記実施例１に、ＨＤＤ９から得られるライトベリファイ実行の有無も判断の一つに加えることで、より精度の高い温度監視を可能とした実施例である。以下、図６に示すフローチャートを参照して説明する。
【００６４】
本レコーダによって情報の記録動作やダビング動作等、各種の動作を開始すると、制御部１は、ＨＤＤ９からライトベリファイ実行の有無の情報を定期的に（若しくは随時）取得する（ステップＳ３１）。そして、ＨＤＤ９がライトベリファイをまだ実行していない場合（ステップＳ３２でＮｏと判断された場合）には、レコーダ本体内の温度もまだ上限までは達していないと判断し、この時点ではそのまま通常動作を継続する（ステップＳ３３）。
【００６５】
一方、ＨＤＤ９がライトベリファイを実行していた場合（ステップＳ３２でＹｅｓと判断された場合）には、次に制御部１は、ＨＤＤ９から定期的に（若しくは随時）温度情報を取得する（ステップＳ３４）。そして、取得した温度情報と内部に予め設定されている基準温度とを比較する（ステップＳ３５）。ここで、本実施例４での基準温度は７０℃に設定されている。すなわち、ライトベリファイ実行温度よりも１０℃高い温度に設定されている。
【００６６】
その結果、取得温度が７０℃を超えていなければ（ステップＳ３５でＮｏと判断されれば）、レコーダ本体内の温度がまだ上限までは達していないと判断し、この時点ではそのまま通常動作を継続する（ステップＳ３３）。
【００６７】
一方、取得温度が７０℃を超えた場合（ステップＳ３５でＹｅｓと判断された場合）には、レコーダ本体内の温度も上限温度に近づいたと判断し、制御部１は、表示部７にエラーメッセージを表示する（ステップＳ３６）。ここで、エラーメッセージとしては、「レコーダ本体内の温度が異常に上がっています。」、「電源を一度落として下さい。」、「サービスセンターへご連絡下さい。」等の各種のメッセージの表示が可能である。ただし、エラーメッセージの報知方法としては、このような文字によるメッセージの表示以外にも、例えば電子ブザーによる警告音やＬＥＤの点灯または点滅による警告表示、あるいは音声合成による音声警告などであってもよい。
【００６８】
このように、ＨＤＤ９から取得したライトベリファイ実行の有無情報と温度情報とに基づいてレコーダ本体内の温度を予測することで、レコーダ本体内の温度を検出する専用の温度検出手段を設けなくても、レコーダ本体内の温度監視を行うことが可能となる。
【実施例５】
【００６９】
本実施例５は、上記実施例２に、ＨＤＤ９から得られるライトベリファイ実行の有無も判断の一つに加えることで、より精度の高い温度監視を可能とした実施例である。以下、図７に示すフローチャートを参照して説明する。
【００７０】
本レコーダによって情報の記録動作やダビング動作等、各種の動作を開始すると、制御部１は、ＨＤＤ９からライトベリファイ実行の有無の情報を定期的に（若しくは随時）取得する（ステップＳ４１）。そして、ＨＤＤ９がライトベリファイをまだ実行していない場合（ステップＳ４２でＮｏと判断された場合）には、レコーダ本体内の温度もまだ上限までは達していないと判断し、この時点ではそのまま通常動作を継続する（ステップＳ４３）。
【００７１】
一方、ＨＤＤ９がライトベリファイを実行していた場合（ステップＳ４２でＹｅｓと判断された場合）には、次に制御部１は、ＨＤＤ９から定期的に（若しくは随時）温度情報を取得する（ステップＳ４４）。そして、取得した温度情報と内部に予め設定されている第１の基準温度とを比較する（ステップＳ４５）。ここで、本実施例５では、第１の基準温度としてライトベリファイ実行温度である６０℃に設定している。
【００７２】
その結果、取得温度が６０℃を超えていなければ（ステップＳ４５でＮｏと判断されれば）、レコーダ本体内の温度がまだ上限までは達していないと判断し、この時点ではそのまま通常動作を継続する（ステップＳ４３）。
【００７３】
一方、取得温度が６０℃を超えた場合（ステップＳ４５でＹｅｓと判断された場合）には、レコーダ本体内の温度も上限温度に近づき始めていると判断し、制御部１は、表示部７に注意メッセージを表示する（ステップＳ４６）。ここで、注意メッセージとしては、「レコーダ本体内の温度が上昇し始めています、注意してください。」等のメッセージの表示が可能である。ただし、注意メッセージの報知方法としては、このような文字によるメッセージの表示以外にも、例えば電子ブザーによる警告音やＬＥＤの点灯または点滅による注意表示、あるいは音声合成による音声注意などであってもよい。
【００７４】
次に、制御部１は、取得温度と第２の基準温度とを比較する（ステップＳ４７）。ここで、本実施例５では、第２の基準温度としてライトベリファイ実行温度よりも１０℃（請求項に記載の所定温度）高い７０℃に設定している。
【００７５】
その結果、取得温度が７０℃を超えていなければ（ステップＳ４７でＮｏと判断されれば）、レコーダ本体内の温度がまだ上限までは達していないと判断し、この時点ではそのまま通常動作を継続する（ステップＳ４３）。
【００７６】
一方、取得温度が７０℃を超えた場合（ステップＳ４７でＹｅｓと判断された場合）には、レコーダ本体内の温度も上限温度に近づいたと判断し、制御部１は、表示部７に警告メッセージを表示する（ステップＳ４８）。ここで、警告メッセージとしては、「レコーダ本体内の温度が異常に上がっています。」、「電源を一度落として下さい。」、「サービスセンターへご連絡下さい。」等の各種のメッセージの表示が可能である。ただし、警告メッセージの報知方法としては、このような文字によるメッセージの表示以外にも、例えば電子ブザーによる警告音やＬＥＤの点灯または点滅による警告表示、あるいは音声合成による音声警告などであってもよい。
【００７７】
このように、ＨＤＤ９から取得したライトベリファイの実行の有無情報と温度情報とに基づいてレコーダ本体内の温度を予測することで、レコーダ本体内の温度を検出する専用の温度検出手段を設けなくても、レコーダ本体内の温度監視を行うことが可能となる。
【実施例６】
【００７８】
本実施例６は、上記実施例３に、ＨＤＤ９から得られるライトベリファイ実行の有無も判断の一つに加えることで、より精度の高い温度監視を可能とした実施例である。以下、図８に示すフローチャートを参照して説明する。
【００７９】
本レコーダによって情報の記録動作やダビング動作等、各種の動作を開始すると、制御部１は、ＨＤＤ９からライトベリファイ実行の有無の情報を定期的に（若しくは随時）取得する（ステップＳ５１）。そして、ＨＤＤ９がライトベリファイをまだ実行していない場合（ステップＳ５２でＮｏと判断された場合）には、レコーダ本体内の温度もまだ上限までは達していないと判断し、この時点ではそのまま通常動作を継続する（ステップＳ５３）。
【００８０】
一方、ＨＤＤ９がライトベリファイを実行していた場合（ステップＳ５２でＹｅｓと判断された場合）には、次に制御部１は、ＨＤＤ９から定期的に（若しくは随時）温度情報を取得する（ステップＳ５４）。そして、取得した温度情報と内部に予め設定されている第１の基準温度である６０℃とを比較する（ステップＳ５５）。その結果、取得温度が６０℃を超えていなければ（ステップＳ５５でＮｏと判断されれば）、レコーダ本体内の温度がまだ上限までは達していないと判断し、この時点ではそのまま通常動作を継続する（ステップＳ５３）。
【００８１】
一方、取得温度が６０℃を超えた場合（ステップＳ５５でＹｅｓと判断された場合）には、レコーダ本体内の温度も上限温度に近づき始めていると判断し、制御部１は、表示部７に注意メッセージを表示するとともに（ステップＳ５６）、ファン駆動部１０を制御して冷却ファン１０ａを駆動する（ステップＳ５７）。
【００８２】
次に、制御部１は、取得温度と第２の基準温度である７０℃とを比較する（ステップＳ５８）。その結果、取得温度が７０℃を超えていなければ（ステップＳ５８でＮｏと判断されれば）、レコーダ本体内の温度がまだ上限までは達していないと判断し、この時点ではそのまま通常動作を継続する（ステップＳ５３）。
【００８３】
一方、取得温度が７０℃を超えた場合（ステップＳ５８でＹｅｓと判断された場合）には、レコーダ本体内の温度も上限温度に近づいたと判断し、制御部１は、表示部７に警告メッセージを表示する（ステップＳ５９）。また、制御部１は、本レコーダ自体の動作を停止する（ステップＳ６０）。このとき、冷却ファン１０ａについては駆動を継続してもよい。これにより、レコーダ本体内の温度を強制的に下げることが可能となる。
【００８４】
このように、ＨＤＤ９から取得したライトベリファイの実行の有無情報と温度情報とに基づいてレコーダ本体内の温度を予測することで、レコーダ本体内の温度を検出する専用の温度検出手段を設けなくても、レコーダ本体内の温度監視を行うことが可能となる。また、冷却ファン１０ａ駆動後の温度上昇を判断することで、冷却ファン１０ａ自体が寿命やメンテナンス不良等によるロック状態で実際には駆動していない可能性があることが推察されるので、冷却ファンの故障等もいち早く見つけることができる。
【図面の簡単な説明】
【００８５】
【図１】本考案のハードディスクド装置内蔵型電子機器の一実施形態であるハードディスクドライブ（ＨＤＤ）内蔵型ＤＶＤレコーダの電気的構成を示すブロック図である。
【図２】リモコンのキー配置の構造を示す説明図である。
【図３】実施形態１に係るＤＶＤレコーダ本体内の温度監視の処理動作を示すフローチャートである。
【図４】実施形態２に係るＤＶＤレコーダ本体内の温度監視の処理動作を示すフローチャートである。
【図５】実施形態３に係るＤＶＤレコーダ本体内の温度監視の処理動作を示すフローチャートである。
【図６】実施形態４に係るＤＶＤレコーダ本体内の温度監視の処理動作を示すフローチャートである。
【図７】実施形態５に係るＤＶＤレコーダ本体内の温度監視の処理動作を示すフローチャートである。
【図８】実施形態６に係るＤＶＤレコーダ本体内の温度監視の処理動作を示すフローチャートである。
【符号の説明】
【００８６】
１  制御部
１ａ  ＣＰＵ
１ｂ  メモリ部
１ｃ  カウンタ
２  アンテナ
３  チューナ
４  信号処理部
５  ディスク読書部
６  リモコン受信部
７  表示部
８  操作部
９  ハードディスクドライブ（ＨＤＤ）
９ａ  サーミスタ
１０  ファン駆動部
１０ａ  冷却ファン
１５  リモコン
２０  ＤＶＤ
３０  テレビ
１１１  電源キー
１１２  テンキー
１１３  ダビングキー
１１４  録画キー
１１５  上下左右キー
１１６  決定キー
【図１】
0003128149.tif 000003
【図２】
0003128149.tif 000004
【図３】
0003128149.tif 000005
【図４】
0003128149.tif 000006
【図５】
0003128149.tif 000007
【図６】
0003128149.tif 000008
【図７】
0003128149.tif 000009
【図８】
0003128149.tif 000010